(57)【要約】【課題】前面基板（１）と背面基板（２）と支持枠（３）と間隔保持部材（４）とからなる画像表示装置において、スペーサ終端部（１７）の電界集中によるストレー電流、及び局所放電を防止させることを目的とする。【解決手段】表面が一つ以上の適当な曲率半径を有し、角や突起がなく、全体としてなだらかな形状である電界抑制用の嵩上げ電極を用いて、スペーサ終端面、及び終端面近傍のスペーサ側面を接触することなく略コの字形状で囲う。【選択図】  図２
2008171739.tif 000002
【特許請求の範囲】
【請求項１】
陽極及び蛍光体が片面側に形成されている前面基板と、
複数の陰極配線及び複数の電子源が片面側に形成され、前記前面基板とは所定の間隔をもって前記片面側同士で対向する背面基板と、
前記前面基板と前記背面基板との間に介挿され、前記所定の間隔を保持し、表示領域の外周を囲む枠状の支持体と、
前記陽極と前記陰極配線との間に介挿され、前記表示領域内に配置され、前記所定の間隔を保持する間隔保持部材と、を備え、
前記支持体の一方の端面と前記前面基板との間、及び前記支持体の他方の端面と前記背面基板との間のそれぞれが、封着部材を介して気密に封着された画像表示装置であって、
前記間隔保持部材の終端面における少なくとも前記背面基板側の角部を覆うように嵩上げ電極が配置されること、
を特徴とする画像表示装置。
【請求項２】
前記嵩上げ電極の表面が、全面に亘ってなだらかな形状に形成されることを特徴とする請求項１に記載の画像表示装置。
【請求項３】
前記嵩上げ電極の表面が、少なくとも一つの曲率半径で形成された曲面を有することを特徴とする請求項２に記載の画像表示装置。
【請求項４】
陽極及び蛍光体が片面側に形成されている前面基板と、
複数の陰極配線及び複数の電子源が片面側に形成され、前記前面基板とは所定の間隔をもって前記片面側同士で対向する背面基板と、
前記前面基板と前記背面基板との間に介挿され、前記所定の間隔を保持し、表示領域の外周を囲む枠状の支持体と、
前記陽極と前記陰極配線との間に介挿され、前記表示領域内に配置され、前記所定の間隔を保持する間隔保持部材と、を備え、
前記支持体の一方の端面と前記前面基板との間、及び前記支持体の他方の端面と前記背面基板との間のそれぞれが、封着部材を介して気密に封着された画像表示装置であって、
前記間隔保持部材の終端面における少なくとも前記背面基板側の角部を覆うように導電性部材が配置されること、
を特徴とする画像表示装置。
【請求項５】
前記導電性部材表面が、全面に亘ってなだらかな形状に形成されることを特徴とする請求項４に記載の画像表示装置。
【請求項６】
前記導電性部材表面が、少なくとも一つ以上の曲率半径で形成された曲面を有することを特徴とする請求項５に記載の画像表示装置。
【請求項７】
前記導電性部材の体積抵抗率は、前記間隔保持材の体積抵抗率以下であることを特徴とする請求項４乃至請求項６のいずれか１項に記載の画像表示装置。
【請求項８】
前記終端面の全体が、前記導電性部材で覆われていること、
を特徴とする請求項４に記載の画像表示装置。
【請求項９】
前記導電性部材は、前記終端面に向うほど配置幅が徐々に広がるように形成されることを特徴とする請求項４に記載の画像表示装置。
【請求項１０】
前記導電性部材表面が、全面に亘ってなだらかな形状に形成されることを特徴とする請求項４に記載の画像表示装置。
【請求項１１】
前記導電性部材の表面が、少なくとも一つの曲率半径で形成された曲面を有することを特徴とする請求項１０に記載の画像表示装置。
【請求項１２】
前記導電性部材の体積抵抗率は、前記間隔保持部材の体積抵抗率以下であることを特徴とする請求項８乃至請求項１１のいずれか１項に記載の画像表示装置。
【請求項１３】
前記導電性部材が、略半円柱状に形成されることを特徴とする請求項８に記載の画像表示装置。
【請求項１４】
前記導電性部材の体積抵抗率は、前記間隔保持部材の体積抵抗率以下であることを特徴とする請求項１２又は請求項１３に記載の画像表示装置。
【請求項１５】
陽極及び蛍光体が片面側に形成されている前面基板と、
複数の陰極配線及び複数の電子源が片面側に形成され、前記前面基板とは所定の間隔をもって前記片面側同士で対向する背面基板と、
前記前面基板と前記背面基板との間に介挿され、前記所定の間隔を保持し、表示領域の外周を囲む枠状の支持体と、
前記陽極と前記陰極配線との間に介挿され、前記表示領域内に配置され、前記所定の間隔を保持する間隔保持部材と、を備え、
前記支持体の一方の端面と前記前面基板との間及び前記支持体の他方の端面と前記背面基板との間をそれぞれ封着部材を介して気密封着してなる画像表示装置であって、
前記間隔保持部材の終端面が、略半円柱の周面状に形成されること、
を特徴とする画像表示装置。
【請求項１６】
陽極及び蛍光体が片面側に形成されている前面基板と、
複数の陰極配線及び複数の電子源が片面側に形成され、前記前面基板とは所定の間隔をもって前記片面側同士で対向する背面基板と、
前記前面基板と前記背面基板との間に介挿され、前記所定の間隔を保持し、表示領域の外周を囲む枠状の支持体と、
前記陽極と前記陰極配線との間に介挿され、前記表示領域内に配置され、前記所定の間隔を保持する間隔保持部材と、を備え、
前記支持体の一方の端面と前記前面基板との間及び前記支持体の他方の端面と前記背面基板との間をそれぞれ封着部材を介して気密封着してなる画像表示装置であって、
前記間隔保持部材は、前記終端面の形状が、前記前面基板側から前記背面基板側にわたって凹となる湾曲面であること、
を特徴とする画像表示装置。
【請求項１７】
前記終端面は、少なくとも一つの曲率半径で形成されることを特徴とする請求項１６に記載の画像表示装置。
【請求項１８】
前記前面基板及び前記背面基板の相互の内側の対向面同士を垂直に結ぶ線分をｄとし、
前記間隔保持部材の前記終端面と前記前面基板とが接する位置Ｌ1と、前記間隔保持部材の前記終端面の他端側と前記背面基板とが接する位置Ｌ2とを前記対向面に沿う方向に結んだ距離をＬとし、
前記線分ｄは、前記位置Ｌ1と前記位置Ｌ2との中間であるＬ／２の位置を通り、
前記線分ｄに沿って、前記前面基板の前記対向面から前記終端面までの距離をｄ1とし、残りの前記終端面から前記背面基板の前記対向面までの距離をｄ2としたときに、
ｄ1とｄ2は、ｄ1＞ｄ2、及びｄ ＝ｄ1＋ｄ2の関係にあること、
を特徴とする請求項１６又は請求項１７に記載の画像表示装置。
【発明の詳細な説明】
【技術分野】
【０００１】
本発明は、複数の電子源と蛍光体とを備える画像表示装置に関する。
【背景技術】
【０００２】
マトリクス型表示装置（マトリクス型ディスプレイ）は、互いに直交する電極群の交点を画素とし、各画素への印加電圧を調整することによって画像を表示することができる。そのマトリクス型表示装置には、液晶ディスプレイの他、フィールドエミッション・ディスプレイ（以下、ＦＥＤと称する。）、エレクトロルミネセンス・ディスプレイ（ＥＬ）、発光ダイオード・ディスプレイ（ＬＥＤ）などが知られている。
【０００３】
例えば、ＦＥＤは、画素毎に電子放出源（冷陰極源）を配置し、放出源から電子を放出し真空中で加速した後、蛍光体に照射して照射した部分の蛍光体を発光させる。ＦＥＤ用の電子放出素子として、Ｓｐｉｎｄｔ型やカーボンナノチューブを利用した電界放出型素子や、金属／絶縁層／金属型放出素子（ＭＩＭ素子）、表面伝導型素子などが知られている。
【０００４】
ＦＥＤは、前記のように蛍光体層を備えたアノード基板（前面基板）と電子放出源を持つカソード基板（背面基板）とを０．５ｍｍ以上の間隔で貼り合わせることにより気密封着している。そして、当該パネルの２枚の基板間の密閉空間を外界の気圧より低圧あるいは真空状態としている。
【０００５】
例えば、特許文献１に開示された画像表示装置（特許文献１では、画像形成装置。）は、前面基板と、背面基板と、前面基板と背面基板との間にあって周縁を支持する支持枠（支持体）と、前面基板と背面基板との間に支柱として配置されるスペ−サ（間隔保持部材）とを有し、前面基板とスペ−サとをフリットガラスで接合させ、背面基板とスペ−サとの接合部にはフリットガラスを用い、前面基板と支持枠及び背面基板との接合部にはフリットガラスを用いて接合してパネル（組立て容器）としている。
【０００６】
なお、前記背面基板には電子放出素子群が形成され、前記前面基板には画像形成部材が形成されている。前記のように、支柱となるスペ−サを配置して、前面基板と背面基板との間隔を基板全面にわたって均一に保持しようとする構成としている。
【０００７】
前記構成によれば、画像表示装置では、背面基板に形成された電子放出素子群（冷陰極源）に電圧を印加することにより各冷陰極素子から電子が放出される。そして、数ｋＶの高電圧が前面基板のメタルバック（陽極）部に印加されることにより、前記放出電子が加速され前面基板に衝突する。その後，前面基板の各色の蛍光体が励起され発光することにより、画像が表示される。
【０００８】
前面基板と背面基板とを支持するスペーサは、内部が真空状態においても十分な機械的強度が必要とされる。また、スペーサは前面基板と背面基板の内面に形成された電極上に固定される形態であるため、スペーサと電極との界面で電界集中を引き起こさないことが必要とされる。
【０００９】
しかしながら、支持枠とスペーサの終端部とが近接している場合では、スペーサに均一な外圧力（パネル外部の大気とパネル内部の真空雰囲気での圧力差）がかからない場合があるため、スペーサの終端部で前面基板、及び背面基板の内面に形成された電極とスペーサとの密着性不良（微小ギャップ）が生じ、電界集中を引き起こす可能性がある。
【００１０】
前記形態では背面基板と前面基板間に印加する加速電圧の上昇に伴い、電界集中箇所から不要な電子放出が生じ、前面基板に形成された蛍光体を発光させる、いわゆるストレー現象が発生してしまう可能性がある。さらに、電界集中が過多の場合には、局所放電により画像表示装置が壊れてしまう可能性もある。
【００１１】
したがってスペーサの終端部近傍での電界集中、及び局所放電を抑制させなければならない。
【００１２】
前記課題に鑑み，スペーサの終端部の密着性の向上に関し、スペーサの終端部分に絶縁材料をつけ、機械的強度（密着性）を増すような試みが提案されている（例えば，特許文献２）。
【００１３】
また、スペーサを台形形状、多角形状、或いは曲線形状にすることで、スペーサ終端部の電界集中が抑制され、ストレー電流を抑制することが提案されている（例えば，特許文献３）。
【特許文献１】特開平１１−３１７１６４号公報
【特許文献２】特開平１０−１４４２０３号公報
【特許文献３】特開２０００−２８５８２９号公報
【発明の開示】
【発明が解決しようとする課題】
【００１４】
画像表示装置では、支持枠に近接するスペーサ終端部では支持枠の高さと基板面のたわみ量、あるいはパネル内部の真空度によっては、終端部に微小ギャップが形成され電界集中が生じる可能性がある。またスペーサが完全に密着し機械的、電気的に浮いた状態がない場合でもスペーサの終端部で真空−電極−スペーサの電気的三重点が形成され、電界集中が生じる可能性がある。
【００１５】
その結果、スペーサ終端部を基点としたストレー電流が生じてしまう可能性がある。一旦ストレー電流が生じると、ストレー電流によりスペーサが帯電し、画像を表示させるための電子ビームの軌道にずれが生じるなどの画質の低下を招く可能性がある。加えて、基板間の絶縁耐力を著しく低下させ、最終的には局所放電が生じ、画像表示装置自体の故障を招く可能性がある。
【００１６】
また、押付圧力が十分で密着不良がない場合でも、スペーサ終端部自体が真空−電極−スペーサの電気的三重点の関係にあり、電界集中が高まり、ストレー電流、及び局所放電が発生するという問題があった。
【００１７】
本発明は、電界集中を抑制し得る画像表示装置を提供することにある。
【課題を解決するための手段】
【００１８】
以上の目的を達成するために、本発明による画像表示装置は、スペーサ（間隔保持部材）の終端面及び終端面近傍の側面の電極高さを嵩上げし、スペーサの一部を略コの字形状で囲う形態とした。
【００１９】
この形態により、スペーサ終端面の電極近傍で電気的三重点により電界が集中することを抑制でき、ストレー電流及び局所放電が発生する問題を解決できる。
【００２０】
さらに、本発明による他の画像表示装置は、前面基板及び背面基板近傍の、スペーサ終端面と終端面近傍のスペーサ側面に対して、スペーサと両基板上の電極との電気伝導性を向上させるために電極に対向するスペーサ面に形成された導電性部材が、電極に対向する面を越えて形成される形態とすることができる。
【００２１】
この形態によれば、スペーサ終端面の電極近傍で、電気的三重点により電界が集中することを抑制でき、ストレー電流及び局所放電が発生する問題を解決できる。
【発明の効果】
【００２２】
本発明によれば、画像表示装置において生じやすい電界集中を抑制することができる。
【発明を実施するための最良の形態】
【００２３】
以下、本発明の最良の形態について、図面を参照して詳細に説明する。なお、ここでは本発明をＦＥＤに適用したものについて説明するが、他の同様の表示装置、或いは類似する機器にも同様に適用できることは言うまでもない。
【００２４】
[第１実施形態]
第１の実施形態を示すに先立ち、先ずＦＥＤの画像表示装置について説明する。
図１は、画像表示装置の構成を表すものであり、図１（ａ）は、画像表示装置の全体斜視図であり、表示装置の内部構造がわかるように一部断面を切り出して示している。また、図１（ｂ）は、画像表示装置のＹ、Ｚ面における断面図である。
【００２５】
図１（ａ）に示すように、画像表示装置は、前面基板１、背面基板２、支持枠３（支持体）、スペーサ４（間隔保持部材）、第１の信号線１０、第２の信号線１１、蛍光体１２、ブラックマトリックス１３、アノード引出し線１４によって構成されている。
【００２６】
また、図１（ｂ）に示すように、スペーサ４と前面基板１との接着にはフリットガラス７ａを使用し、支持枠３と前面基板１、及び背面基板２との接着にもフリットガラス９をそれぞれ使用している。また、前面基板１の内面には、陽極を形成するメタルバック１５が形成され、アノード引出し線１４（図１（ａ））と電気的に接続されている。
【００２７】
図１（ａ）において、前面基板１の上面（Ｚ方向のＸ，Ｙ平面）に描かれた蛍光体１２、及びブラックマトリックス１３は、前面基板１越しに見えるパターンを模式的に示している。
【００２８】
前記構成において、背面基板２に用いられる材料としてはガラス板、またはセラミック板が好適とする。背面基板２は、数ｍｍの絶縁性基板から形成されている。また、前面基板１は、透明なガラス板を好適とし、数ｍｍ程度の板厚の透光性基板から形成されている。
【００２９】
また、前面基板１と背面基板２との間の周縁部に介挿された外枠を兼ねた支持枠３は、ガラス板またはフリットガラス成形品で構成されている。そして、前面基板１と支持枠３との間及び背面基板２と支持枠３との間にフリットガラス９を配置して接着固定され、前面基板１と背面基板２との間の距離を所定の寸法に保持している。
【００３０】
スペーサ４は、平板状の前面基板１と背面基板２との間隔を全面に亘って所定の寸法に保持するために、両基板間に配置される。スペーサ４に用いられる材料としては、略板状ガラス、或いはセラミックを好適とし、板厚は数百mｍ程度としている。
【００３１】
スペーサ４は、前面基板１の内面、及び背面基板２の内面との接触に際し、電気伝導性を向上させるために必要に応じて導電性部材によってメタライズ（金属化）される。
スペーサ４と前面基板１との固定には、フリットガラス７が接着剤として用いられる。また、スペーサ４と背面基板２との固定にも、必要に応じて、フリットガラス７ｂが接着剤として用いられる。
【００３２】
前面基板１、背面基板２、支持枠３及びスペーサ４で組立てられた画像表示装置の内部空間は、低圧状態もしくは真空状態で封止される。通常、内部空間の圧力は１０−４ 〜１０−５ Pa程度まで減圧され、その状態に保持される。
【００３３】
第１の信号線１０と第２の信号線１１とが格子状に配置され、それぞれの交差位置付近には電子源（電子放出素子群）５が形成されている（陰極配線）。第１の信号線１０と第２の信号線１１に適宜電圧を加えることにより、各電子放出素子群５から任意に電子を放出させる。なお、第２の信号線１１の表面には絶縁膜３０が形成されている。
【００３４】
この電子放出素子群５としては、メタル−インシュレータ−メタル（ＭＩＭ）型の電子放出素子、表面伝導型電子放出素子、ダイアモンド膜やグラファイト膜、或いはカーボンナノチューブを利用したものでもよい。
【００３５】
電子放出素子群５から放出された電子は、アノード引出し線１４に数ｋVの電圧を印加することにより、前面基板１及び背面基板２の表面に形成された電極（メタルバック１５、及び第１の信号線１０）との間に形成された電界によって加速され、蛍光体１２に衝突する。その結果、蛍光体１２が発光し、前面基板１越しに画像が表示される。
【００３６】
図２は、本実施形態の特徴構成を示すスペーサ４の終端部を含む背面基板２近傍の様子を示す斜視図である。
【００３７】
図２において示すようにスペーサ４は、第１の信号線１０の表面に配設され，第１の信号線１０と直交する側の支持枠３の面、すなわちスペーサ４の長尺方向と直交する側の支持枠３（図１(ａ)参照）の面に対向するスペーサ終端面１７、前面基板１及び背面基板２に対向しないスペーサ長手方向側面（以下、断りがない限り単にスペーサ側面と記す。）１８を有しており、背面基板２上に形成された第１の信号線１０から嵩上げされて形成された嵩上げ電極１９がスペーサ終端部の角部１７ａを囲っている。
【００３８】
スペーサ４は、角部１７ａにおいて、嵩上げ電極１９で囲われた構成となっている。本実施形態は、嵩上げ電極１９は角や突起がなくすように、電極表面が一つ以上の適当な曲率半径を有し、全体としてなだらかな形状としており、角部１７ａを、嵩上げ電極１９とスペーサ４が接触することなく囲った略コの字形状としている。
【００３９】
スペーサ４は、前記したように第１の信号線１０に立設している。したがって、嵩上げ電極１９は、第１の信号線１０と同電位となるように任意に電位を付与できる形態となっている。
【００４０】
図３は、図２のＹ軸方向を正面として見た背面基板２近傍の側面図である。図３に示す形態では、等電位線２０は、嵩上げ電極１９によってなだらかな形状を示し、スペーサ終端での電界集中が抑制されている。
【００４１】
すなわち、本実施形態は、スペーサ終端面１７の電極近傍で電気的三重点による電界集中を抑制する。また、スペーサに対する押付力が不足して、第１の信号線１０とスペーサ終端面１７との間に微小ギャップが生じたとしても、その周囲である角部１７ａを嵩上げ電極１９で囲うことにより電界集中を抑制する。
【００４２】
ここで、本実施形態において、嵩上げ電極１９を備えていない場合は，スペーサ終端面１７の電極近傍で等電位線が密な状態となり、電界集中が生じ、さらにストレー電流が発生する可能性がある。
【００４３】
ストレー電流の起点となる電子は、主として背面基板２上に形成された角部１７ａ近傍から放出されるため、嵩上げ電極１９は、角部１７ａ近傍に配置されるのが好適である。
【００４４】
しかし、前面基板１のスペーサ終端面１７の近傍でも同様の現象が起こる可能性がある。その場合には、嵩上げ電極１９は、前面基板１上に形成された電極（メタルバック１５）のスペーサ終端面１７近傍にも配置されるのが好適である。
【００４５】
本実施形態により、スペーサ終端面１７の電極近傍で電気的三重点により電界が集中することを抑制でき、ストレー電流及び局所放電が発生する問題を解決できる。
【００４６】
また、本実施形態によれば、押付力が不足して、前面基板１及び背面基板２とスペーサ４との間に微小ギャップができたとしても、その周囲を電極で囲うことにより電界集中を防止でき、ストレー電流及び局所放電が発生する問題を解決できる。
【００４７】
[第２実施形態]
図４は、第２実施形態を示したものであり、スペーサ４の終端部を含む背面基板２近傍の様子を示す斜視図である。
【００４８】
第２実施形態が、図２、図３で示す第１実施形態と異なる点は、スペーサ４の終端部に配置した嵩上げ電極１９の代わりにスペーサ終端面１７とスペーサ４の終端近傍のスペーサ側面１８の一部を被覆するように導電性部材２１（たとえば、フリットガラスや導電性塗料など）を配置し、電界集中を抑制することにある。
【００４９】
本実施形態においては、導電性部材２１は、スペーサ４に密着した形態としている。導電性部材２１の表面は、少なくとも一つの適当な曲率半径を有し、角や突起がなく、全体としてなだらかな形状としている。
ここで、導電性部材２１の体積抵抗率は、スペーサ４の体積抵抗率以下が好適である。
【００５０】
本実施形態は、前記実施形態を適用することにより、スペーサ終端面１７の電極近傍で電気的三重点による電界集中を抑制できる。また、導電性部材２１がスペーサ終端面１７とスペーサ側面１８の一部に塗られることから、背面基板２上に形成された第１の信号線１０とスペーサ終端面１７との押付力不足による微小ギャップをなくし電界集中を抑制できる。
その結果、本実施形態における等電位線は、図３と同様にスペーサ終端面１７近傍でなだらかな形状で分布している。
【００５１】
ここで、ストレー電流の起点となる電子は、主として背面基板２上に形成された第１の信号線１０上のスペーサ終端面１７近傍から放出される。したがって、導電性部材２１は、第１の信号線１０上のスペーサ終端面１７近傍に配置するのが好適である。
【００５２】
但し、前面基板１のスペーサ終端面１７近傍でも同様の現象が起こる可能性があり、その場合には、導電性部材２１は、前面基板１上に形成された高圧電極（メタルバック１５）のスペーサ終端面１７近傍にも配置されるのが好適である。
【００５３】
本形態によれば、スペーサ終端面１７の電極近傍で、電気的三重点により電界が集中することを抑制でき、ストレー電流及び局所放電が発生する問題を解決できる。
【００５４】
また、本実施形態によれば，導電性部材２１がスペーサ終端面１７と側面の一部に配置されることから、前面基板１とスペーサ４及び背面基板２とスペーサ４との密着不良による微小ギャップをなくし、その結果、スペーサ終端面１７の電界集中が抑制でき、ストレー電流及び局所放電が発生する問題を解決できる。
【００５５】
[第３実施形態]
図５は、本実施形態を示したものであり、スペーサ４の終端部を含む背面基板２近傍の様子を示す側面図である。図５では、スペーサ４の終端部を含む背面基板２近傍の様子を、Y軸方向を正面とし切り出して表現している。
【００５６】
本実施形態が、図２〜図４で示す第１実施形態、第２実施形態と異なる点は、スペーサ４と背面基板２との間に介挿される第１の信号線１０及びスペーサ４と前面基板１との間に介挿されるメタルバック１５との接触面（図１（ｂ）参照）全体にメタライズ等の電気的導通を良くするために形成された導電性部材１６を利用することにある。
【００５７】
本実施形態では、図５に示すように導電性部材１６が、スペーサ側面１８からスペーサ終端面１７にかけて、スペーサ４の背面基板２上に形成された第１の信号線１０と対向する面を越え、角部１７ａを覆うように形成されている。なお、スペーサ４とメタルバック１５との間も同様となる。
【００５８】
詳細には、導電性部材１６は、スペーサ終端面１７近傍のスペーサ側面１８において、スペーサ側面１８からスペーサ終端面１７に向かってスペーサの高さ方向に導電性部材１６の幅Ｗを徐々に広げるように形成されている。また、スペーサ終端面１７では導電性部材１６は、少なくとも一つ以上の曲率半径を有し、導電性部材１６に角や突起がなく、全体としてなだらかな形状に形成されている。
【００５９】
前記形態を適用することにより、スペーサ終端面１７の電極近傍で電気的三重点による電界集中を抑制できる。また、スペーサ４に対する押付力が不足して、第１の信号線１０とスペーサ終端面１７との間に微小ギャップが生じたとしても、スペーサの他の部分で（例えば、スペーサ４の中央部分で）背面基板２上の電極と、スペーサ４の導電性部材１６が接触し、導電性部材１６は全体に亘って電極とほぼ同電位に規定しているため、微小ギャップの電界集中は生じない。
【００６０】
本実施形態において、ストレー電流の起点となる電子は、主として角部１７ａ近傍から放出される。したがって、導電性部材１６は、角部１７ａ近傍を覆うように配置するのが好適である。
【００６１】
但し、前面基板１のスペーサ終端面１７近傍でも同様の現象が起こる可能性があり、その場合、導電性部材１６は、前面基板１上に形成された電極（メタルバック１５）のスペーサ終端面１７近傍にも配置されるのが好適である。
【００６２】
この形態によれば、スペーサ終端面１７の電極近傍で、電気的三重点により電界が集中することを抑制でき、ストレー電流及び局所放電が発生する問題を解決できる。
【００６３】
また、この形態によれば，押付力が不足して前面及び背面基板上の電極とスペーサ終端面１７との間に微小ギャップが生じたとしても、スペーサ４の他の部分で（例えばスペーサの中央部分で）両基板上の電極と、スペーサ４の導電性部材が接触し、スペーサ４の導電性部材１６全体に亘って電極とほぼ同一の電位に規定されるため、電界は集中しない。
【００６４】
加えて、前記したようにスペーサ終端面１７の導電性部材１６の形状を全体に亘って角部や突起のないなだらかな形状としているため、さらに電界集中は回避できる。その結果、電界集中を起点とするストレー電流及び局所放電が発生する問題を解決できる。
【００６５】
[第４実施形態]
図６は、本実施形態の形態を示したものであり、スペーサ４の終端部を含む背面基板２近傍の様子を示す斜視図である。
【００６６】
本実施形態が、図２〜図５で示す前記各実施形態と異なる点は、スペーサ終端面１７をフリットガラス、或いは導電性塗料などの導電性部材２２を用いて略半円柱形状ですべて覆い、導電性部材２２がスペーサ終端面１７と前面基板１及び背面基板２上に形成された電極（図１参照）に密着固定されることによって電界集中を抑制することにある。導電性部材２２の表面は、少なくとも一つ以上の曲率半径を有し、表面に角や突起がなく、全体としてなだらかな形状としている。
なお、導電性部材２２の体積抵抗率は、スペーサ４の体積抵抗率以下が好適である。
【００６７】
図７は、図６をY軸方向から見た背面基板２近傍を拡大した側面図である。このような形態において形成される等電位線２０は、導電性部材２２で被覆されることによりなだらかな形状を示し、スペーサ終端での電界集中が抑制される。
【００６８】
前記形態によれば、スペーサ終端面１７の電極近傍で電気的三重点による電界集中を抑制できる。また、導電性部材２２がスペーサ終端面１７と前面基板１及び背面基板２上に形成された電極（メタルバック１５、及び第１の信号線１０）に密着固定されるため、電極とスペーサ終端面１７との押付力不足による微小ギャップをなくし電界集中が抑制される。
【００６９】
[第５実施形態]
図８は、本実施形態を示したものであり、スペーサ４の終端部を含む背面基板２近傍の様子を示す斜視図である。
【００７０】
本実施形態が、図２〜７で示す前記各実施形態と異なる点は、スペーサ終端面１７が略半円柱形状で形成され、電界集中を抑制することにある。スペーサ終端面１７は、少なくとも一つ以上の曲率半径を有し、表面に角や突起がなく、全体としてなだらかな形状としている。
【００７１】
ここで、スペーサ４と前面基板１の表面に形成された電極及びスペーサ４と背面基板２の表面に形成された電極との電気伝導性を向上させるために、電極に対向するスペーサ４の面には、第３実施形態に示すような導電性部材１６が形成されている。
【００７２】
図９は、図８のスペーサ４の終端近傍をＺ側方向から見た図である。このように曲率半径Ｒがつけられた形態では、等電位線２０は、スペーサ４の終端での電界集中を抑制し、第４実施形態で説明した図７と同様な状態となる。
【００７３】
前記実施形態によれば、スペーサ４に対する押付力が不足して、前面基板１及び背面基板２上に形成された電極（メタルバック１５と第１の信号線１０）とスペーサ終端面１７との間に微小ギャップが生じたとしても、スペーサ４の他の部分において（例えばスペーサ４の中央部分で）背面基板２上の電極と、スペーサ４の導電性部材１６とが接触し、導電性部材１６は全体に亘って電極とほぼ同電位に規定しているため、微小ギャップによる電界集中は生じない。
【００７４】
[第６実施形態]
図１０は、本実施形態を示したものであり、スペーサ４の終端部を含む背面基板２近傍の様子を示す側面図である。
図１０では、前面基板１と背面基板２と支持枠３で真空封止された内部に配置されたスペーサ４の一部を、Y軸方向を正面とし切り出して表現している。
なお、前面基板１上に形成された画像形成部材６、及び背面基板２上に形成された電子放出素子群５は省略している。
【００７５】
本実施形態が、図２〜９で示す前記各実施形態と異なる点は、スペーサ４の長尺方向と直交する側の支持枠３（図１(ａ)参照）に対向するスペーサ４の終端面１７の形状が、前面基板と接する位置から背面基板２に向かって曲率半径a1を有する末広がりの略円弧形状となるような形態をとることによって、電界集中を抑制している。
【００７６】
本実施形態では、曲率半径ａ1の中心点Ｏを起点として、ａ1を二分する位置ｂでのスペーサ高さｄ2はｄ1 ＞ｄ2の関係にしてある。したがって、背面基板２近傍でスペーサ４の終端面１７が前面基板１に向かってなだらかにせり上がる形態となる。
【００７７】
また、本実施形態では、スペーサ４と前面基板１及び背面基板２上に形成された電極との電気伝導性を向上させるために電極に対向するスペーサ４の面には第３実施形態に示すような導電性部材１６を形成している。
【００７８】
前記形態を適用することにより、本実施形態は、スペーサ終端面１７の電極近傍における電気的三重点による電界集中を抑制できる。なお、スペーサ４の電位分布はスペーサ４の抵抗分担により決定されるため、スペーサ４の終端にかかる電界集中を抑制するためにはスペーサ４の終端面１７の全長は長いほど良い。
【００７９】
ここで、前面基板１とスペーサ終端面１７との間及び背面基板２とスペーサ終端面１７との間を単に直線状とせず、上述したように曲率半径ａ1を設け全長を長くとることにより、等電位線２０は、なだらかな形状を形成するため、スペーサ４の終端での電界集中を抑制できる。
【００８０】
また、前記形態によれば、スペーサ４に対する押付力が不足して、前面基板１及び背面基板２の表面に形成された電極（メタルバック１５と第１の信号線１０、図１参照）とスペーサ終端面１７との間に微小ギャップが生じたとしても、スペーサ４の他の部分で（例えばスペーサ４の中央部分で）背面基板２上の電極と、スペーサ４の導電性部材１６が接触し、導電性部材１６は全体に亘って電極とほぼ同電位に規定しているため、微小ギャップによる電界集中は生じない。
【００８１】
[第７実施形態]
図１１は、本実施形態を示したものであり、スペーサ４の終端部を含む背面基板２近傍の様子を示す側面図である。
図１１では、前面基板１と背面基板２と支持枠３で真空封止された内部に配置されたスペーサ４の一部を、Y軸方向を正面とし切り出して表現している。なお、前面基板１上に形成された画像形成部材６、及び背面基板２上に形成された電子放出素子群５は省略する。
【００８２】
本実施形態が、図２〜１０で示す前記実施形態と異なる点は、スペーサ終端面１７が前面基板１から背面基板２に向かって少なくとも２つ以上の曲率半径ａ2、ａ3・・・ａnを有する末広がり形状になるような形態をとることにより、電界集中を抑制している。
【００８３】
図１１では、代表例として曲率半径ａ2、ａ3の２つを有する場合を示している。
【００８４】
図１１において、Ｌ1、及びＬ２は、それぞれ前面基板１、及び背面基板２とスペーサ終端面１７が接触する点をそれぞれ示している。またＬは、Ｌ１とＬ２とで挟まれた距離である。ここで、ｆはＬを二分する位置であり、ｆの位置でのスペーサ高さｄ2はｄ1 ＞ｄ2の関係にある。また、ｃはスペーサ終端面１７上で曲率が異なる位置である。このように本実施形態は、背面基板２近傍でスペーサ終端面１７が前面基板１に向かってなだらかにせり上がる形態となる。
【００８５】
本実施形態では、スペーサ４と前面基板１及び背面基板２の表面に形成された電極との電気伝導性を向上させるために、電極に対向するスペーサ面には第３実施形態に示すような導電性部材１６が形成されている。
前記形態をとることにより、第６実施形態と同様の電界抑制効果が得られる。
【００８６】
[第８実施形態]
本実施形態は、第７実施形態に示すスペーサ終端面１７の形状を以下のように変更している。
すなわち、本実施形態は、Ｌ１とＬ２で挟まれた距離Ｌ中で、スペーサは少なくとも１つ以上の曲率半径を有する曲線面と少なくとも１つ以上の直線面を有する形態とし、ｄ1 ＞ ｄ2の関係にあり、前面基板１から背面基板２に向かって末広がり形状とし、背面基板２近傍でスペーサ終端面１７が前面基板１に向かってなだらかにせり上がる形態としている。
【００８７】
本実施形態では、スペーサ４と前面基板１及び背面基板２の表面に形成された電極との電気伝導性を向上させるために、電極に対向するスペーサ面には第３実施形態に示すような導電性部材１６が形成されている。
【００８８】
前記形態をとることにより、第６実施形態及び第７実施形態と同様の電界抑制効果が得られる。
【図面の簡単な説明】
【００８９】
【図１】画像表示装置の全体斜視図である。
【図２】第１実施形態を示したものであり、スペーサ４の終端部を含む背面基板２近傍の様子を示す斜視図である。
【図３】図２のY側を正面として見た背面基板２近傍の側面図である。
【図４】第２実施形態を示したものであり、スペーサ４の終端部を含む背面基板２近傍の様子を示す斜視図である。
【図５】第３実施形態を示したものであり、スペーサ４の終端部を含む背面基板２近傍の様子を示す側面図である。
【図６】第４実施形態を示したものであり、スペーサ４の終端部を含む背面基板２近傍の様子を示す斜視図である。
【図７】図６をY軸方向から見た背面基板２近傍を拡大した側面図である。
【図８】第５実施形態を示したものであり、スペーサ４の終端部を含む背面基板２近傍の様子を示す斜視図である。
【図９】図８のスペーサ４の終端近傍をZ側方向から見た図である。
【図１０】第６実施形態を示したものであり、スペーサ４の終端部を含む背面基板２近傍の様子を示す側面図である。
【図１１】第７実施形態７を示したものであり、スペーサ４の終端部を含む背面基板２近傍の様子を示す側面図である。
【符号の説明】
【００９０】
１      前面基板
２      背面基板
３      支持枠
４      スペーサ
５      電子放出素子群
６      画像形成部材
７、９  フリットガラス
１０    第１の信号線
１１    第２の信号線
１２    蛍光体
１３    ブラックマトリックス
１４    アノード引出し線
１５    メタルバック
１６    導電性部材
１７    スペーサの終端面
１８    スペーサ長手方向側面
１９    嵩上げ電極
２０    等電位線
２１    導電性部材
２２    導電性部材
３０    絶縁膜
【図１】
2008171739.tif 000003
【図２】
2008171739.tif 000004
【図３】
2008171739.tif 000005
【図４】
2008171739.tif 000006
【図５】
2008171739.tif 000007
【図６】
2008171739.tif 000008
【図７】
2008171739.tif 000009
【図８】
2008171739.tif 000010
【図９】
2008171739.tif 000011
【図１０】
2008171739.tif 000012
【図１１】
2008171739.tif 000013